(57)【要約】【課題】ロール紙に画像情報を記録する印刷装置において、ロール紙に無駄な印刷が行われることがなく、また、印刷装置の使用者を一律に制限することによる印刷装置の使い勝手の低下が生じない印刷装置を提供することを目的とする。【解決手段】ロール紙に画像情報を記録する印刷装置において、ロール紙に印刷を可能にする条件である印刷条件を、設定または変更する手段と、上記設定または変更された印刷条件を保持する印刷条件保持手段と、印刷装置からロール紙を取り外すとき、または印刷装置の電源をＯＦＦしたときに、上記印刷条件保持手段に保持されている上記印刷条件を、ロール紙に記録する記録手段とを有することを特徴とする印刷装置である。【選択図】図７
2010201701.tif 000002
【特許請求の範囲】
【請求項１】
ロール紙に画像情報を記録する印刷装置において、
ロール紙に印刷を可能にする条件である印刷条件を、設定または変更する手段と；
上記設定または変更された印刷条件を保持する印刷条件保持手段と；
印刷装置からロール紙を取り外すとき、または印刷装置の電源をＯＦＦしたときに、上記印刷条件保持手段に保持されている上記印刷条件を、ロール紙に記録する記録手段と；
を有することを特徴とする印刷装置。
【請求項２】
請求項１であって、
上記印刷条件における設定項目は、ユーザ情報、または出力インタフェースであることを特徴とする印刷装置。
【請求項３】
請求項１であって、
上記記録手段は、印刷条件が含まれているバーコード情報を上記ロール紙に印刷する手段であることを特徴とする印刷装置。
【請求項４】
請求項１であって、
上記記録手段は、ロール紙内に設けられているＲＦＩＤへ、上記印刷条件を記憶させる手段であることを特徴とする印刷装置。
【請求項５】
請求項１であって、
ロール紙がセットされたとき、または印刷装置の電源をＯＮしたときに、ロール紙上に記録されている印刷情報を取得し、解析し、上記印刷装置に設定することを特徴とする印刷装置。
【請求項６】
請求項１であって、
ロール紙がセットされたときに、ロール紙に記録されている上記印刷条件を取得できなければ、印刷条件を設定または変更するメニューへ移行することを特徴とする印刷装置。
【発明の詳細な説明】
【技術分野】
【０００１】
本発明は、印刷装置の制御方法に関する。
【背景技術】
【０００２】
印刷媒体としてロール紙を使用する印刷装置において、印刷装置に関する各種属性情報を、ロール紙上に印刷または記憶させ、記憶した情報を印刷装置の制御に利用する装置が存在する。つまり、ユーザ操作によって、ロール紙の残量、サイズ、使用開始日、印刷装置の機種名等の情報を、文字とバーコードとで印刷する装置がある。情報が印刷されたロール紙を、一度印刷装置から取り外し、再度印刷装置に装着する。この際に、ロール紙に記録されているバーコード情報を、印刷装置が読み取り、バーコード情報と、印刷装置が保持する機種名等の内部情報とを比較し、比較結果が異なれば、警告メッセージを出力する（たとえば、特許文献１参照）。
【０００３】
また、ロール紙の残量値を記憶する記憶素子を具備するＲＦＩＤタグをロール紙に付加し、用紙の搬送量に応じて、上記ＲＦＩＤタグに記憶した残量値を補正する印刷装置が知られている（たとえば、特許文献２参照）。
【先行技術文献】
【特許文献】
【０００４】
【特許文献１】特開２００６−００７７１０号公報
【特許文献２】特開２００６−２５６０９７号公報
【発明の概要】
【発明が解決しようとする課題】
【０００５】
しかし、上記従来例は、ユーザが一度印刷装置から取り外したロール紙を、元の印刷装置に正しくセットすることを目的とし、また、ロール紙の残量管理を目的としているので、ロール紙がセットされた後は、全てのユーザからの印刷ジョブを受け付ける。これら受け付けた印刷ジョブの中には、印刷する必要が無い印刷ジョブが含まれることがある。したがって、ネットワーク接続などで、印刷装置を接続している場合、ロール紙に無駄な印刷が行われる場合がある。
【０００６】
印刷装置で使用するロール紙として、かなり高価なものが存在するので、特定のロール紙に無駄な印刷が行われないように、使用制限を設けたいが、印刷装置の使用者を一律に制限するようにすると、印刷装置を使い難いという問題がある。
【０００７】
本発明は、ロール紙に画像情報を記録する印刷装置において、ロール紙に無駄な印刷が行われることがなく、また、印刷装置の使用者を一律に制限することによる印刷装置の使い勝手の低下が生じない印刷装置を提供することを目的とする。
【課題を解決するための手段】
【０００８】
本発明は、ロール紙に画像情報を記録する印刷装置において、ロール紙に印刷を可能にする条件である印刷条件を、設定または変更する手段と、上記設定または変更された印刷条件を保持する印刷条件保持手段と、印刷装置からロール紙を取り外すとき、または印刷装置の電源をＯＦＦしたときに、上記印刷条件保持手段に保持されている上記印刷条件を、ロール紙に記録する記録手段とを有することを特徴とする印刷装置である。
【発明の効果】
【０００９】
本発明によれば、ロール紙に画像情報を記録する印刷装置において、ロール紙に無駄な印刷が行われず、また、印刷装置の使用者を一律に制限することによる印刷装置の使い勝手の低下が生じないという効果を奏する。
【００１０】
また、本発明によれば、印刷条件が記録されているロール紙を、別の印刷装置に装着した場合でも、印刷条件の継続が可能であるという効果を奏する。
【図面の簡単な説明】
【００１１】
【図１】本発明の実施例１である印刷装置１００の構成を示すブロック図である。
【図２】実施例１で、ロール紙１４にＲＦＩＤタグ１５を取り付けた図である。
【図３】実施例１で、ロール紙１４にバーコード１６を印刷した図である。
【図４】印刷装置１００に設けられている操作パネル１０の部分的な図である。
【図５】印刷条件設定に関して操作パネル１０に表示する設定画面を示す図である。
【図６】印刷条件をロール紙１４に記録する際のデータ構造例を示す図である。
【図７】印刷条件を、ロール紙１４に記録する動作を示すフローチャートである。
【図８】ロール紙１４に印刷可能条件を反映させる動作のフローチャートである。
【図９】印刷装置１００における印刷時の動作を示すフローチャートである。
【発明を実施するための形態】
【００１２】
発明を実施するための形態は、以下の実施例である。
【実施例１】
【００１３】
図１は、本発明の実施例１である印刷装置１００の構成を示すブロック図である。
【００１４】
印刷装置１００は、ロール紙に画像情報を記録する印刷装置であり、システムバス２と、ＵＳＢインタフェース３と、ネットワークインタフェース４と、ＣＰＵ５とを有する。また、印刷装置１００は、ＲＡＭ等のメモリ６と、フラッシュＲＯＭ７と、ハードディスク８と、センサ９と、操作パネル１０と、読み書き部１１と、印刷装置エンジン１２とを有する。
【００１５】
ネットワークインタフェース４は、イーサネット（登録商標）を介して、ホストＰＣに接続される。メモリ６は、画像色変換テーブルやプロファイル等を記憶する。フラッシュＲＯＭ７は、印刷装置１００をコントロールするためのプログラムや画像処理するためのプログラム等を格納する。
【００１６】
ハードディスク８は、印刷データとその管理情報等を記憶する。センサ９は、カセット挿入、用紙サイズ、用紙種等の検出やバーコード情報の読み取り等が可能である。操作パネル１０は、印刷装置１００の設定等を行ういくつかのキーと、印刷装置１００のステータス等を表示する表示部とによって構成されている。
【００１７】
ＲＦＩＤタグ１５の読み書き部１１は、印刷装置１００の各種属性をＲＦＩＤタグに書き込み、読み取りを行う。印刷装置エンジン１２は、ホストからのデータを印字する印字ヘッドや、印字ヘッドを駆動するモータ等で構成されている。ヘッド回復部１３は、印刷装置エンジン１２の中のヘッド回復部であり、印字ヘッド回復モータ等で吸引、ワイピング、キャッピング等の回復動作を行う。
【００１８】
図２は、実施例１において、ロール紙１４に、ＲＦＩＤタグ１５が取り付けられている例を示す斜視図である。
【００１９】
ロール紙１４の芯の内側に、ＲＦＩＤタグ１５が取り付けられている。ロール紙１４に印刷することが可能なユーザ名、インタフェース等の印刷条件の情報が、ＲＦＩＤタグ１５に記憶されている。
【００２０】
図３は、実施例１において、ロール紙１４にバーコード１６を印刷した例を示す図である。
【００２１】
バーコード１６には、ロール紙１４に印刷することが可能なユーザ名、インタフェース等の印刷条件の情報が含まれている。
【００２２】
図４は、印刷装置１００に設けられている操作パネル１０の部分的な構成を示す図である。
【００２３】
操作パネル１０に、様々な情報の表示部１７と、操作部１８とが設けられている。操作部１８は、上下左右キーと、選択キーとによって構成されている。
【００２４】
図５は、印刷条件設定に関して、操作パネル１０に表示する設定画面の表示例を示す図である。
【００２５】
印刷条件を設定する印刷条件設定メニューに移行する前に、パスワード入力画面１９を表示する。操作部１８の上下キーを介して、ユーザが入力文字を選択し、左右キーを介して、入力場所を移動する。ＯＫキーで、パスワードの入力が確定する。
【００２６】
画面２０は、印刷条件の設定を確定させることを、ユーザに通知する画面である。
【００２７】
印刷条件設定メニュー２１には、ユーザ選択メニュー、インタフェース選択メニュー、ユーザ追加メニュー、ユーザ削除メニュー、パスワード編集メニューが表示され、これらをユーザが選択できる。
【００２８】
操作部１８の上下キーで、メニューを選択し、右キーで、各メニューを表示し、左キーで、印刷条件確定画面２０を表示する。ユーザ選択メニュー２２は、ロール紙１４に印刷を許可するユーザの選択メニューであり、印刷装置１００に登録されているユーザ名を一覧表示する。上下キーで、カーソルを移動し、ＯＫキーで、ユーザを選択する。複数のユーザを選択することが可能である。
【００２９】
左キーで、印刷条件設定メニュー２１を表示する。選択メニュー２３は、ロール紙１４に印刷を許可するインタフェースの選択メニューであり、選択肢としてネットワークとローカルとを表示する。上下キーで、カーソルを移動し、ＯＫキーで、インタフェースを選択する。複数のインタフェースを選択することが可能である。左キーで、印刷条件設定メニュー２１を表示する。
【００３０】
ユーザ名追加メニュー２４は、ユーザ名を追加するためのメニューである。操作部１８の上下キーによって入力文字を選択し、左右キーで入力場所が移動する。ＯＫキーで、ユーザ名の入力が確定される。ユーザ選択メニュー２５は、ユーザ名を、表示から削除するためのメニューであり、印刷装置１００に登録されているユーザ名を一覧表示する。上下キーで、カーソルを移動し、ＯＫキーで、削除するユーザを選択する。複数のユーザを選択することが可能である。左キーで、印刷条件設定メニュー２１を表示する。
【００３１】
パスワード編集メニュー２６は、旧パスワードを入力した後に、新パスワードを入力する。操作部１８の上下キーによって、入力文字を選択し、左右キーで、入力場所が移動する。ＯＫキーで、旧パスワードの入力が確定する。上記と同様の操作で、新パスワードを入力する。
【００３２】
図６は、印刷条件をロール紙１４に記録する際のデータ構造例を示す図である。
【００３３】
エリア２７は、トータルのデータサイズを格納するエリアである。ＩＤ２８は、データ内容を示すＩＤであり、０１は、ユーザ名、０２は、ネットワークインタフェース、０３は、ローカルインタフェースを示す。エリア２９は、ユーザ名のデータサイズを格納するエリアであり、その後に、ロール紙１４に印刷が可能なユーザ名３０が続いている。エリア３１は、データＩＤが０２または０３である場合、それぞれのインタフェースからの印刷が可能かどうかを示すエリアであり、００で不可能、０１で可能としている。
【００３４】
次に、印刷装置１００内で保持しているロール紙１４に印刷を可能にする条件である印刷条件を、ロール紙１４に記録する動作について詳細に説明する。
【００３５】
図７は、印刷装置１００内で保持しているロール紙１４に印刷を可能にする条件である印刷条件を、ロール紙１４に記録する動作を示すフローチャートである。
【００３６】
Ｓ１で、ロール紙１４に対して印刷条件を記録する指示があるかどうかを判断する。この指示は、ユーザが操作パネル１０等から直接行う指示である。通常、印刷装置１００のロール紙１４を取り外す場合、ロール紙１４をロックする機構を、レバー操作等で解除するが、ロール紙１４のロックが解除された状態では、バーコードで記録することができない。このような印刷装置１００においては、ユーザがロール紙１４を取り外す前に、印刷条件を記録する指示を行う必要がある。印刷条件を記録する指示があれば、Ｓ４に進み、印刷条件を記録する指示がなければ、Ｓ２に進む。
【００３７】
Ｓ２で、印刷装置１００のロール紙１４をロックする機構がレバー操作等によって解除されたかどうかを判断する。ロール紙１４をロックする機構が解除されていれば、Ｓ４に進み、ロール紙１４をロックする機構が解除されていなければ、Ｓ３に進む。
【００３８】
Ｓ３で、印刷装置の電源スイッチがＯＦＦされたかどうかを判断する。印刷装置の電源スイッチがＯＮされていれば、終了し、印刷装置の電源スイッチがＯＦＦされれば、Ｓ４に進む。
【００３９】
Ｓ４で、ロール紙１４に記録する印刷条件の情報を取得する。印刷条件の情報の内容は、ロール紙１４に印刷を許可するユーザ名一覧と、ロール紙１４に印刷を許可するインタフェース情報である。上記情報を取得した後に、Ｓ５に進む。
【００４０】
Ｓ５では、Ｓ４で取得した印刷条件の情報を、ロール紙１４に書き込むデータとして作成し、取得したユーザ名、インタフェースを、データの内容を表すＩＤに関連付けて、図６に示すデータを作成する。
【００４１】
ＲＦＩＤタグ１５にデータを記録する場合、Ｓ６に進む。バーコードとして記録する場合、作成した情報に基づいて、ＱＲコード等のバーコードのイメージを作成した後に、Ｓ６に進む。
【００４２】
Ｓ６で、ロール紙１４に印刷条件の情報を記録する。ＲＦＩＤタグ１５へ記録する場合、ＲＦＩＤタグ１５の読み書き部１１を経由して、ＲＦＩＤタグ１５へ書き込む。バーコード記録の場合、Ｓ５で作成したイメージを、印刷装置エンジン１２に送信し、ロール紙１４上の予め決められた特定位置に印刷する。
【００４３】
次に、ロール紙１４に記録されている印刷条件の情報を取得し、ロール紙１４に印刷を可能にする条件である印刷条件を、印刷装置１００に反映させる動作について詳細に説明する。
【００４４】
図８は、ロール紙１４に記録されている印刷条件の情報を取得し、ロール紙１４に印刷を可能にする条件を、印刷装置１００に反映させる動作を示すフローチャートである。
【００４５】
Ｓ７で、印刷装置の電源スイッチがＯＮされたかどうかを判断する。印刷装置の電源スイッチがＯＮされると、Ｓ９に進み、印刷装置の電源スイッチがＯＮされていなければ、Ｓ８に進む。
【００４６】
Ｓ８で、ロール紙１４を印刷装置１００に装着する操作が行われたかどうかを判断する。つまり、印刷装置１００のロール紙１４をロックする機構におけるレバーが操作されたかどうかを判断する。ロール紙１４を装着する操作が行われると、Ｓ９に進み、ロール紙１４を装着する操作が行なわれなければ、終了する。
【００４７】
Ｓ９で、ロール紙１４に記録されている印刷条件の情報を取得する。ＲＦＩＤタグ１５から、印刷条件の情報を取得する場合、印刷装置１００内のＲＦＩＤ読み書き部を経由して、印刷条件の情報を取得する。バーコードから、印刷条件の情報を取得する場合、バーコードは、ロール紙１４上の特定位置に記録されているので、ロール紙１４をバーコード読み取り位置まで紙送りし、バーコードに記録されている情報を読み取る。
【００４８】
Ｓ１０で、バーコードまたはＲＦＩＤタグ１５から情報を取得できたかどうかを判断し、情報を取得できれば、Ｓ１１に進み、情報を取得できなければ、Ｓ１２に進む。
【００４９】
Ｓ１１で、取得した情報を解析する。ＲＦＩＤタグ１５から情報を取得した場合、図６で説明したデータを取得したので、ユーザ名、インタフェースなどの情報を認識する。バーコードから情報を取得した場合、バーコード情報を解析し、図６に示すデータを取得し、ユーザ名、インタフェースの情報を認識する。
【００５０】
Ｓ１２で、ロール紙１４から情報を取得できなかったので、図５に示すロール紙１４に印刷を可能にするための条件である印刷条件を設定する設定メニューを表示し、ユーザが入力した条件を取得する。
【００５１】
Ｓ１３で、取得した印刷条件を、印刷装置１００の動作条件として設定することによって、設定された印刷条件に従って、ロール紙１４へ印刷が行われる。
【００５２】
次に、ロール紙１４に印刷を可能にする条件である印刷条件が設定されている印刷装置１００において、印刷時の動作について詳細に説明する。
【００５３】
図９は、ロール紙１４に印刷を可能にする条件である印刷が設定されている印刷装置１００における印刷時の動作を示すフローチャートである。
【００５４】
Ｓ１４で、印刷装置１００が印刷ジョブを認識すると、ジョブを送信したユーザ名と、ジョブを印刷する給紙口情報と、印刷ジョブを受信しているインタフェースとを認識する。Ｓ１５で、給紙口情報から、ジョブを印刷する対象がロール紙１４であるかどうかを判断し、ロール紙１４に印刷する場合、Ｓ１６に進み、カセット給紙など、カット紙へ印刷する場合、Ｓ１８に進む。
【００５５】
Ｓ１６で、データを受信しているインタフェースが、印刷装置１００内で保持しているロール紙１４への印刷を許可しているインタフェースであるかどうかを判断する。ロール紙１４への印刷を許可しているインタフェースであれば、Ｓ１７に進み、含まれていなければ、印刷を行わずに終了する。
【００５６】
Ｓ１７で、ジョブに含まれるユーザ名が、印刷装置１００内で保持しているロール紙１４への印刷を許可しているユーザ名であるかどうかを判断する。印刷装置１００内で保持しているロール紙１４への印刷を許可しているユーザ名であれば、Ｓ１８に進み、印刷装置１００内で保持しているロール紙１４への印刷を許可しているユーザ名でなければ、印刷を行わずに終了する。Ｓ１８で、受信している印刷データを印刷する。
【００５７】
上記実施例において、操作パネル１０とＣＰＵ５とは、ロール紙に印刷を可能にする条件である印刷条件を、設定または変更する手段の例である。メモリ６は、上記設定または変更された印刷条件を保持する印刷条件保持手段の例である。印刷装置エンジン１２は、印刷装置からロール紙を取り外すとき、または印刷装置の電源をＯＦＦしたときに、上記印刷条件保持手段に保持されている上記印刷条件を、ロール紙に記録する記録手段の例である。
【００５８】
上記印刷条件における設定項目は、ユーザ情報、または出力インタフェースである。また、上記記録手段は、印刷条件が含まれているバーコード情報を上記ロール紙に印刷する手段である。さらに、上記記録手段は、ロール紙内に設けられているＲＦＩＤへ、上記印刷条件を記憶させる手段である。しかも、ロール紙がセットされたとき、または印刷装置の電源をＯＮしたときに、ロール紙上に記録されている上記印刷情報を取得し、解析し、上記印刷装置に設定する。そして、ロール紙がセットされたときに、ロール紙に記録されている上記印刷条件を取得できなければ、印刷条件を設定または変更するメニューへ移行する。
【符号の説明】
【００５９】
１００…印刷装置、
５…ＣＰＵ、
６…メモリ、
９…センサ、
１０…操作パネル、
１１…ＲＦＩＤタグ１５の読み書き部、
１５…ロール紙１４内に埋め込まれたＲＦＩＤタグ、
１６…ロール紙１４上に記録されたバーコード、
１７…表示部。
【図１】
2010201701.tif 000003
【図２】
2010201701.tif 000004
【図３】
2010201701.tif 000005
【図４】
2010201701.tif 000006
【図５】
2010201701.tif 000007
【図６】
2010201701.tif 000008
【図７】
2010201701.tif 000009
【図８】
2010201701.tif 000010
【図９】
2010201701.tif 000011